(57)【要約】注射器のための本注射装置は、注射器（２９）のためのハウジング（１）を有している。針シュラウド（１５）は、ハウジングの先端部に保持され、使用以前において突出位置と引っ込み位置との間を可動である。駆動部材（１７）は、引っ込められた針シュラウドを越えて針（３０）を突出させ、次いで針を通して一回の注射量を送り出すように、注射器を前方向へ移動させるためのハウジング内の後側位置から開放可能である。ハウジングの配置部材（１２）は、前側位置（一回の注射量を送り出した後に達した）において駆動部材（１７）を保持する。保持された駆動部材（１７）は、突出位置から針シュラウド（１５）が引っ込むことを防止するようにも配置される。
2004536673.tif 000002
【特許請求の範囲】
【請求項１】
注射器のための注射装置であって、前記注射器のためのハウジングと、前記ハウジングの先端部に保持されて使用以前において突出位置と引っ込み位置との間を可動な針シュラウドと、引っ込められた前記針シュラウドを越えて針を突出させ、次いで前記針を通して一回の注射量を送り出すように、前記注射器を前方向へ移動させるための前記ハウジング内の後側位置から開放可能な駆動部材と、前記一回の注射量を送り出した後に達した前側位置において前記駆動部材を保持するための前記ハウジングの配置部材とを具備し、保持された前記駆動部材は、前記突出位置から前記針シュラウドが引っ込むことを防止するように配置される注射装置。
【請求項２】
前記針シュラウドは、使用時において、前記注射装置が皮膚に対して押圧される時に前記針シュラウドが前記ハウジング内へ押し戻されるように、前方向に付勢されている請求項１に記載の注射装置。
【請求項３】
前記駆動部材はスプリングにより作動される請求項１又は２に記載の注射装置。
【請求項４】
前記駆動部材は、前記注射器内のピストンに係合するように前記注射器の後端部へ入り込むプランジャを有し、それにより、前記後端部において前記注射器を支持する請求項３に記載の注射装置。
【請求項５】
前記注射器の前記針は、前記注射器の前端部のための支持として機能するつぶれ可能なゴム製のシースを有する請求項１から４のいずれかに一項に記載の注射装置。
【請求項６】
前記シースの先端は、前記針が貫通可能で前記シースが貫通不可能な中央穴部が設けられた前記ハウジングの小さなカップ形状として位置している請求項５に記載の注射装置。
【請求項７】
前記駆動部材は前記ハウジングの内部及び前記シュラウドと協働するように前方向に延在するアームを有する請求項１から６のいずれか一項に記載の注射装置。
【請求項８】
前記ハウジングの配置形状は、前記アームの先端部が内方向に曲げられて引っ込められた前記針シュラウドに入り込むことを引き起こすように提供される請求項７に記載の注射装置。
【請求項９】
前記アームの外側の当接部は、注射動作の完了後において、前記駆動部材が押し戻されないように、前記ハウジングの内側の前記配置形状と合わさるように設けられている請求項８に記載の注射装置。
【請求項１０】
前記当接部は、積極的な相互係合のために鉤状とされる請求項９に記載の注射装置。
【請求項１１】
前記アームの端部は、注射動作の完了後において、前記針シュラウドと整列され、前記針シュラウドが押し戻されることを防止する当接部を提供する請求項７から１０のいずれか一項に記載の注射装置。
【請求項１２】
実質的に添付図面を参照して開示されたような形状の注射装置。
【請求項１３】
添付図面に開示及び／又は図示されたような形状の注射装置における特徴の任意の新規な組み合わせ。
【発明の詳細な説明】
【技術分野】
【０００１】
本発明は、注射装置に関する。本発明は、注射器が円筒形状のハウジング内に収納された注射装置に関し、この注射器は、針を突出させるように駆動機構によって前進させられ、その後、注射器のプランジャを押圧して一回の注射量を注入するために、駆動機構を連続的に作動する。この注射器は、所定の適量が摂取されない限り、針を突き出したままとする。
【背景技術】
【０００２】
その一つの解決法は、注射器をハウジング内へ引き戻す構造を有することであり、一方、もう一つの解決法は、針を収納してハウジングから外へ出る針シュラウドを有することである。もちろん、針シュラウドは、実際の注射動作を妨げないようにしなければならない。それにより、シュラウドは、一般的に、針保護位置へ向けて前方向にスプリング付勢され、しかしながら、注射装置が患者の皮膚に対して押圧される時には、シュラウドはスプリングに逆らって強制的に引っ込められることが提案されている。注射後において、スプリングはシュラウドを再び前方向へ押圧する。
【発明の開示】
【発明が解決しようとする課題】
【０００３】
注射後において完全突出位置にシュラウドを自動的に固定して注射以前にはシュラウドを固定しない構造を存在させることが望まれており、本発明の目的は、これを実現する方法を提供することである。
【課題を解決するための手段】
【０００４】
本発明により注射器のための注射装置が提供され、この注射装置は、注射器のためのハウジングと、ハウジングの先端に保持されて使用以前には突出位置と引っ込み位置との間を可動な針シュラウドと、引っ込められた針シュラウドを越えて針を突出させ、次いで針を通して一回の注射量を送り出すように、注射器を前方向へ移動させるためのハウジング内の後側位置から開放可能な駆動部材と、一回の注射量を送り出した後に達した前側位置において駆動部材を保持するためのハウジングの配置部材とを具備し、保持された駆動部材は、突出位置から針シュラウドが引っ込むことを防止するように配置される。
【０００５】
針シュラウドは、一般的に、前方向に付勢されており、それにより、使用中において、注射装置が皮膚に対して押圧される時に、シュラウドはハウジング内へ押し戻される。使用者は、次いで、駆動部材を開放する。
【０００６】
この駆動部材は、一般的に、スプリング作動され、好適な形状において、注射器内のピストンに係合するように注射器の後端部へ入り込むプランジャを有し、それにより、後端部において注射器を支持する。注射器の針は、理想的には、つぶれ可能なゴム製のシースを有し、このシースは注射器の前端部のための支持として機能する。シースの先端は、針が貫通可能でシースが貫通不可能な中央穴部を有するハウジングの小さなカップ形状として設置されて良い。注射器が前方向に駆動される時に、針はカップ形状を通り超えて突出するようにシースを貫通し、一方、シースは、より短い長さへ蛇腹式に折りたたまれ、シースが完全に圧縮される時に注射器を停止させる助けとなる。
【０００７】
駆動部材は、ハウジングの内部及び針シュラウドと協働するように前方向に延在するアームを有していても良い。駆動部材が前方向に移動する時に、これらのアームは、その先端部が引っ込められた針シュラウドへ入り込むことを引き起こすように、ハウジングの配置形状によって内側方向に曲げられることができる。注射後において、針シュラウドは、開放されて前方向に移動する時に、係合せずに外方向に曲がり戻ったアームを通り越す。注射動作の完了後において、アームの外側の当接部は、次に、ハウジングの内側の当接部に合わさるように設けることができ、それにより、駆動部材は押し戻されることができない。好ましくは、これらの当接部は積極的な相互係合のために鉤形状とされる。同時に、注射動作の完了後において、アームの端部は理想的には針シュラウドと整列され、シュラウドが押し戻されることを防止するための当接を提供する。
【発明を実施するための最良の形態】
【０００８】
本発明をより理解するために、一実施形態が、添付図面を参照して、例として開示される。
【０００９】
本注射装置は、閉鎖後端部３を有する後部分２と、中間部分４と、前部分５とを有する複合円筒部材１を有する。中間部分４は、前方向に向く内側肩部８の直後側の放射状スポーク７によって同軸の内側管６を担持する。管６の先端部９は、すぼまり、先端において内側環状フランジ１１によって形成された小さな穴部１０を有する。二つの直径方向に対向する耳部１２が、肩部８から内側前方向に突出し、肩部には螺旋スプリング１３の後端部を位置させる。図７に最も良く見られるように、クレードル状又はＵ字形のガイド１４が、管６の外側において対向する耳部１２に直接的に形成される。前側端部において、スプリング１３は前部分５によって円筒部材に保持された針シュラウド１５に当接し、針シュラウドは、スプリング１３を圧縮して管６の先端部９上に重なるように、円筒部材内へ入れ子式に後方向へ摺動可能である。
【００１０】
後端部３には、図８及び９に最も良く見られる駆動部材１７に作用する駆動スプリング１６のための座部が内方向に設けられる。駆動部材は、スプリング１６の前側端部を受け入れる中空の筒状部１８を有し、筒状部は、筒状部１８内の同軸のＸ断面ステム１９回りに位置し、このステムは筒状部を超えて後方向に突出する。前側において、筒状部１８は、横断穴部２１から確実に離間して同軸の中間部２０へ向けて内側へ段となっており、次いで、その先端部に開口する中央穴部２３を有する同軸のプランジャ２２へ向けて内側へさらに段となっている。中間部２０から前方向に分岐して、自由端部に外方向に突出する耳部２５を有する二つの直径方向に対向するアーム２４が存在し、各アームは耳部２５から短い距離だけ後側に歯部２６を有する。各歯部２６は、外方向及び後方向に鋭角で傾斜し、次いで、小さな鋭角で戻り傾斜する。一方側において、筒状部１８は、前方向及び外方向に突出する舌部２７を有し、この舌部は駆動部材１７を開放するための引き金機構の一部であり、舌部の反対側において、駆動部材１７が正確に方向付けられて正しく移動することを保証するために、円筒部材１の内側に形成された軌道（図示せず）内を移動可能な長手方向の尾部２８が存在する。
【００１１】
一般的な注射器２９が、管６内に同軸に担持される。その針３０は、ゴム製のシース３１を有し、シースの閉鎖前端部が管６のカップ状先端部９内に位置する。シース３１は決して取り外されず、図１及び４にだけ図示されている。駆動部材１７のプランジャ２２は、注射器の後端部に入り込んでピストン３２と協働し、ピストンは穴部２３内に位置する後側中央スタッド３３を有する。こうして、注射器２９は、シース３１の先端部及びスタッド３３によって管６内に同軸に担持され、注射器の本体と管６との間の接触は存在しない。
【００１２】
当初、本装置は、円筒部材１及び穴部２１を横断方向に貫通するピン（図示せず）によって安全状態とされ、図１に示すように、スプリング１６を圧縮して駆動部材１７をその後側位置に固定する。このピンが除去されると、本装置は始動可能となる。使用者は、最初に、注入される領域に対して針シュラウド１５の先端部を押し付け、本装置を前方向に駆動する。針シュラウド１５は、スプリング１３が完全に圧縮されるまで強制的に戻される。針３０のシースの先端は依然として装置内にあり、図３の位置に達する。
【００１３】
引き金が作動され、スプリング１６が作動することを許可し、駆動部材１７を前方向に駆動する。注射器２９内における一回の注射量の有効容積は、針３０を突出するように注射器を前方向に移動させることを引き起こし、針はシース３１の端部を突き通し、シースは、図４に図示したように、先端部９内において短い長さへ蛇腹式に折りたたまれて残る。シースは、穴部１０を通り抜けるには大き過ぎる。それにより、針３０は皮膚に侵入する。この動作中において、耳部２５と耳部１２とが接触する。耳部１２は、僅かに外方向にずらされているが、任意のこのような動作は圧縮されたスプリング１３によって制限される。しかしながら、アーム２４は内方向に曲げられ、耳部２５は、スナップ式に通過することを可能とされ、シュラウド１５の内側に対して外方向に当接する。アーム２４は、この時において、ガイド１４を通過し始め、ガイドは、アームが適当に整列され続けることを助ける。注射器２９は、完全に圧縮されるようになったシース３１によって前方向の動作限界に達し、歯部２６が同時に耳部１２の後傾斜側部に直面する。これは図４の位置である。
【００１４】
駆動部材１７の連続前側動作は、針３０を通して一回の注射量を送り出し、歯部２６及び耳部１２が楔のように機能してアーム２４をさらに内方向に曲げることを引き起こす。図５に示すように、駆動部材１７の中間部２０が注射器の後端部に直面する時である注射が完了する直前に、歯部２６は耳部１２を通過する。本装置は、次に、引き抜かれ、これは、スプリング１３が針シュラウド１５に作用して再び前方向に押圧することを可能とし、歯部２６及び耳部２５は自由に摺動する。アーム２４は、次に、通常位置へ向けて再び外方向へ弾性的に戻ることができ、これは、もし、任意の反対動作が存在するならば、歯部２６が耳部１２に引っ掛かることを引き起こす。もし、針シュラウド１５が耳部２５に対して押し戻され、次いで捩られ、周方向にアーム２４の端部を押圧するならば、ガイド１４は、これを阻止し、耳部１２に歯部２６を合わせ続ける。
【００１５】
こうして、駆動部材１７は引っ込みに対して保持され、一方、取り外しに対して円筒部材の前部分５によって依然として把持されている針シュラウド１５は、耳部２５との当接によって後方向への移動を防止される。それにより、針３０は、管６から依然として突出しているが、シュラウド１５内において安全とされている。
【図面の簡単な説明】
【００１６】
【図１】使用前から使用後の様々な状態の一つにおける注射装置の軸線方向断面である。
【図２】使用前から使用後の様々な状態の一つにおける注射装置の軸線方向断面である。
【図３】使用前から使用後の様々な状態の一つにおける注射装置の軸線方向断面である。
【図４】使用前から使用後の様々な状態の一つにおける注射装置の軸線方向断面である。
【図５】使用前から使用後の様々な状態の一つにおける注射装置の軸線方向断面である。
【図６】使用前から使用後の様々な状態の一つにおける注射装置の軸線方向断面である。
【図７】図６の拡大詳細である。
【図８】本装置の駆動部材の斜視図である。
【図９】本装置の駆動部材の斜視図である。
【国際公開パンフレット】
2004536673.tif 000003
2004536673.tif 000004
2004536673.tif 000005
2004536673.tif 000006
2004536673.tif 000007
2004536673.tif 000008
2004536673.tif 000009
2004536673.tif 000010
2004536673.tif 000011
2004536673.tif 000012
2004536673.tif 000013
2004536673.tif 000014
2004536673.tif 000015
2004536673.tif 000016
2004536673.tif 000017
2004536673.tif 000018
2004536673.tif 000019
【国際調査報告】
2004536673.tif 000020
2004536673.tif 000021
2004536673.tif 000022